(57)【要約】【課題】ケーブルコネクタの装着方向を任意に設定可能とする。【解決手段】ピンヘッダー３から突出するピンコンタクト４とケーブル５に装着されたソケットコンタクト２とがピンヘッダー３の上部に配設されるハウジング１に形成された勘合口（貫通部）１ａに両側から挿入されて接続される。勘合口１ａはソケットコンタクト２が挿入されるソケットコンタクト挿入部８と、ピンコンタクト４が挿入されるピンコンタクト挿入部８とを備えている。ピンコンタクト挿入部８には、水平方向に伸びてハウジング１の側方に連通する開口部８ａが形成されている。この開口部８ａはハウジング１の側方から連続して下方にも連通していて、ハウジング１の底部１ｃと側部１ｄが開口されている。【選択図】図１
2011049099.tif 000002
【特許請求の範囲】
【請求項１】
ピンヘッダーから突出するピンコンタクトとケーブルに装着されたソケットコンタクトとが前記ピンヘッダーの上部に配設されるハウジングに形成された貫通部に両側から挿入されて接続されるケーブルコネクタの実装構造であって、
前記貫通部は前記ピンコンタクトが挿入されるピンコンタクト挿入部を備え、前記ピンコンタクト挿入部は、互いに直交する２方向に連続する空間であって前記ハウジングの外部に連通しており、前記ピンコンタクトは前記２方向間のいずれの方向からでも前記ハウジングに挿入可能であることを特徴とするケーブルコネクタの実装構造。
【請求項２】
前記ソケットコンタクトは、前記ピンコンタクトを挟持する二枚バネ部材を備えており、前記二枚バネ部材は前記ピンコンタクトとの接触面からバネの変形方向へ突出する突起部を備え、前記ピンコンタクトは前記突起部が択一的に挿入される複数の凹部または孔部を備えていることを特徴とする請求項１に記載のケーブルコネクタの実装構造。
【請求項３】
前記ハウジングは、前記ピンヘッダーとの接触面が円弧状の凸部に形成されていて、前記ハウジングと前記ピンヘッダーとは前記接触面に沿って互いに回転可能であることを特徴とする請求項１または２に記載のケーブルコネクタの実装構造。
【請求項４】
前記ピンヘッダーは、前記ハウジングが接触して回転する円弧状の凹部を備えていることを特徴とする請求項３に記載のケーブルコネクタの実装構造。
【発明の詳細な説明】
【技術分野】
【０００１】
本発明は、ケーブルコネクタの実装構造に関するものであり、特に複数の方向に実装可能なケーブルコネクタの実装構造に関する。
【背景技術】
【０００２】
一般に、複数の電気部品，電気装置あるいは電子機器間の電気的な接続にケーブル配線が用いられており、この接続にケーブルコネクタが用いられている。
ケーブルコネクタには、電気部品，電気装置あるいは電子機器の実装形態や、配線ルーティングによって、任意のピンヘッダーを選択されている。
例えば、図７に示すようなピン１３ａが直線状のストレートピンヘッダー１３を使用することで、ハウジング１２をストレートピンヘッダー１３の上方から装着することができ、また、図８に示すようなピン１４ａが所定の角度で曲がったアングルピンヘッダー１４を使用することでハウジング１２をアングルピンヘッダー１４の側方から装着することができる。
また、特許文献１には、一つの方向に突出する出力端子（ピン）とその方向に直交する方向に突出する出力端子とを備えるコネクタ（ピンヘッダー）が開示されている。
【先行技術文献】
【特許文献】
【０００３】
【特許文献１】実開平４−１３６８８９号公報
【発明の概要】
【発明が解決しようとする課題】
【０００４】
しかしながら、従来のケーブルコネクタの実装では、採用するピンヘッダーによってその装着方向が限定されてしまい、電気部品，電気装置あるいは電子機器の実装形態や配線ルーティング等によって装着方向を任意に設定することはできなかった。特に、共通の電子機器ユニットやボードを実装方式の異なる複数の電子機器に実装する場合において、ケーブルコネクタの装着方向が限定されることは共通設計の妨げとなっていた。
また、特許文献１によるピンヘッダーでは、装着されているケーブルコネクタの装着方向を変更する場合には、ケーブルを一方のピンからそのピンに直交する方向のピンに付け替える作業が必要となり、容易に行うことができなかった。また、２方向のピンを備えるため、使用されないピンが生じることになり不経済である。
【０００５】
本発明は、上述する事情に鑑みてなされたもので、ケーブルコネクタの装着方向を任意に設定可能なケーブルコネクタの実装構造を提供することを目的とする。
【課題を解決するための手段】
【０００６】
上記目的を達成するため、本発明に係るケーブルコネクタの実装構造は、ピンヘッダーから突出するピンコンタクトとケーブルに装着されたソケットコンタクトとが前記ピンヘッダーの上部に配設されるハウジングに形成された貫通部に両側から挿入されて接続されるケーブルコネクタの実装構造であって、前記貫通部は前記ピンコンタクトが挿入されるピンコンタクト挿入部を備え、前記ピンコンタクト挿入部は、互いに直交する２方向に連続する空間であって前記ハウジングの外部に連通しており、前記ピンコンタクトは前記２方向間のいずれの方向からでも前記ハウジングに挿入可能であることを特徴とする。
【発明の効果】
【０００７】
本発明によれば、ハウジングに設けられた貫通部のピンコンタクト挿入部は、互いに直交する２方向に連続する空間であってハウジングの外部に連通しており、ピンコンタクトは２方向間のいずれの方向からでもハウジングに挿入可能であることことにより、ハウジングとピンコンタクトとの設置方向が限定されないので、電気部品，電気装置あるいは電子機器の実装形態や配線ルーティング等によって装着方向を任意に設定することができるケーブルコネクタの実装構造を実現することができる。
【図面の簡単な説明】
【０００８】
【図１】本発明の実施の形態によるケーブルコネクタの実装構造の一例を示す分解斜視図である。
【図２】ハウジングが鉛直状態のケーブルコネクタの実装構造を示す斜視図である。
【図３】図２のＡ−Ａ線断面図である。
【図４】ハウジングが水平状態のケーブルコネクタの実装構造を示す斜視図である。
【図５】図４のＢ−Ｂ線断面図である。
【図６】突起部と凹部との関係を示す図で、図２のＣ−Ｃ線断面図である。
【図７】従来のケーブルコネクタの実装構造を示す図である。
【図８】従来の他のケーブルコネクタの実装構造を示す図である。
【発明を実施するための形態】
【０００９】
以下、本発明の実施の形態によるケーブルコネクタの実装構造について、図１乃至図６に基づいて説明する。
図１に示すように、本実施の形態によるケーブルコネクタの実装構造では、ピンヘッダー３から突出するピンコンタクト４とケーブル５に装着されたソケットコンタクト２とがピンヘッダー３の上部に配設されるハウジング１に形成された勘合口（貫通部）１ａに両側から挿入されて電気的に接続されている。本実施の形態では、図における矢印Ａの方向を上下方向または鉛直方向とし、これに直交する方向を水平方向として以下説明する。
【００１０】
ハウジング１は、底部１ｃが下側に凸に湾曲する半円筒面状に形成されていて、勘合口１ａが上下方向に貫通している。勘合口１ａは、上部側のソケットコンタクト２が挿入されるソケットコンタクト挿入部７と下部側のピンコンタクト４が挿入されるピンコンタクト挿入部８とから構成される。
ピンコンタクト挿入部８には、水平方向に伸びてハウジング１の側方に連通する開口部８ａが形成されている。この開口部８ａはハウジング１の側方から連続して下方にも連通していて、ハウジング１の底部１ｃと側部１ｄが開口されている。
【００１１】
ソケットコンタクト２は、ピンコンタクト４を挟持する二枚バネの摺動バネ構造をしており、二枚バネを構成する二枚の板部材２ｂにはそれぞればねの変形方向に突出する突起部２ａが設けられている。
【００１２】
ピンヘッダー３は、上面が平面状である平板部３ａと部分円筒面状である湾曲部３ｂとからなる。平板部３ａおよび湾曲部３ｂの上面は連続している。
湾曲部３ｂはハウジング１の底部１ｃの半円筒面と同じまたは略同じ半径の円弧状に形成されており、下側に凹に湾曲している。
【００１３】
ピンコンタクト４は、ピンヘッダー３の上部から突出しており平板状に形成されている。ピンコンタクト４とソケットコンタクト２とが電気的に接続される際には、ピンコンタクト４の両面をソケットコンタクト２が挟持している。
ピンコンタクト４には、両面にそれぞれ第一の凹部４ａおよび第二の凹部４ｂが形成されている。この第一の凹部４ａ、第二の凹部４ｂのいずれかに、ソケットコンタクト２の突起部２ａが挿入される。
【００１４】
本実施の形態によるケーブルコネクタの実装構造では、図２および図３に示すように、ハウジング１は、ソケットコンタクト挿入部７がピンコンタクト挿入部８（図３参照）の上側となる向きで、ピンヘッダー３の上面に配設することができる。
また、図２および図３に示す向き配設されたハウジング１を９０°回転させ、図４および図５に示すように、ピンコンタクト挿入部８の開口部８ａ（図５参照）が下側となる向きでピンヘッダー３の上面に配設することもできる。
ここで、ハウジング１は、図２および図３のように配設された状態を鉛直状態とし、図４および図５のように配設された状態を水平状態として以下説明する。
【００１５】
図３に示すように、ハウジング１が鉛直状態のケーブルコネクタの実装構造では、ソケットコンタクト挿入部７に上方からソケットコンタクト２が挿入されて、ピンコンタクト挿入部８に下方からピンコンタクト４が挿入されている。
ハウジング１は、底部１ｃの一部がピンヘッダー３の湾曲部３ｂと接している。
このとき、図６に示すように、ソケットコンタクト２はピンコンタクト４を挟持しており、突起部２ａは第一の凹部４ａに挿入されている。第一の凹部４ａに突起部２ａが挿入されると、ソケットコンタクト２とピンコンタクト４とは、ロックされた状態となり相対的に変位することが抑制される。
【００１６】
また、図５に示すように、ハウジング１が水平状態のケーブルコネクタの実装構造では、ソケットコンタクト挿入部７に側方からソケットコンタクト２が挿入されて、ピンコンタクト挿入部８にハウジング１の下部側に位置する開口部８ａを通してピンコンタクト４が挿入されている。
ハウジング１は、鉛直状態において下側に位置していた底部１ｃが側方に位置し、この底部１ｃの一部がピンヘッダー３の湾曲部３ｂと接し、側部１ｄがピンヘッダー３の平板部３ａと接している。
ている。
このとき、ソケットコンタクト２はピンコンタクト４を挟持しており、突起部２ａは第二の凹部４ｂに挿入されている。第二の凹部４ｂに突起部２ａが挿入された場合も同様にソケットコンタクト２とピンコンタクト４とは相対的に変位することが抑制される。
【００１７】
次に、鉛直状態のハウジング１を水平状態とする動作について説明する。
図２および図３に示す鉛直状態のハウジング１を仮想回転軸６を中心として矢印Ｄの方向に９０°回転させる。このときハウジング１の底部１ｃはピンヘッダー３の湾曲部３ｂに沿って回転する。
ハウジング１の底部１ｃとピンヘッダー３の湾曲部３ｂとは接触していて、互いに回転可能な同じまたは略同じ半径の円弧状に形成されていることにより、ピンヘッダー３上でハウジング１の回転が行い易い。
そして、図４および図５に示すように、水平状態となったハウジング１は、側部１ｄがピンヘッダー３の上面に接し、開口部８ａ（図５参照）が下部側となる。ピンコンタクト４は、開口部８ａからピンコンタクト挿入部８に挿入されソケットコンタクト２と接続される。
【００１８】
このとき、ソケットコンタクト２はハウジング１と共に回転することにより、突起部２ａがピンコンタクト４の第一の凹部４ａから第二の凹部４ｂに移動する。
そして、突起部２ａおよび第一、第二の凹部４ａ、４ｂを仮想回転軸６上に設けないことにより、ソケットコンタクト２とピンコンタクト４とが接続された状態で矢印Ｄの方向に互いに回転することを防ぐことができる。
水平状態のハウジング１を鉛直状態にする場合には、矢印Ｄと逆方向に回転させることで鉛直状態とすることができる。
【００１９】
次に、上述した実装構造のケーブルコネクタの設置方法について図面を用いて説明する。
図２および図３に示すように、ハウジング１が鉛直状態となるように実装する場合には、まず、ソケットコンタクト挿入部７にソケットコンタクト２を挿入する。
そして、ハウジング１を底部１ｃが下側となる向きでピンヘッダー３の上部に配設し、ピンコンタクト挿入部８にハウジング１の底部１ｃ側からピンコンタクト４を挿入させ、ソケットコンタクト２がピンコンタクト４を挟持する状態とする。
このとき、ソケットコンタクト２の突起部２ａをピンコンタクト４の第一の凹部４ａに挿入させて、ソケットコンタクト２とピンコンタクト４とを電気的に接続させる。また、ハウジング１の底部１ｃの一部をピンヘッダー３の湾曲部３ｂに接触させる。
【００２０】
また、図３および図４に示すように、ハウジング１が水平状態となるように実装する場合には、まず、ソケットコンタクト挿入部７からソケットコンタクト２を挿入する。
そして、ハウジング１を側部１ｄが下側となる向きでピンヘッダー３の上部に配設し、ピンコンタクト挿入部８に開口部８ａからピンコンタクト４を挿入させ、ソケットコンタクト２がピンコンタクト４を挟持する状態とする。
このとき、ソケットコンタクト２の突起部２ａをピンコンタクト４の第二の凹部４ｂに挿入させて、ソケットコンタクト２とピンコンタクト４とを電気的に接続させる。また、ハウジング１の底部１ｃの一部をピンヘッダー３の湾曲部３ｂに接触させ、ハウジング１の側部１ｄをピンヘッダー３の平板部３ａに接触させる。
【００２１】
本実施の形態によるケーブルコネクタの実装構造によれば、ハウジング１には、ハウジング１の側方から連続して下方にも連通していて、ハウジング１の底部１ｃ側と側部１ｄ側とに開口された開口部８ａを備えるピンコンタクト挿入部８が設けられているので、ハウジング１をピンヘッダー３上に鉛直状態および水平状態に配設することができる。
また、ソケットコンタクト２に突起部２ａが設けられていると共に、ピンコンタクト４に第一および第二の凹部４ａ、４ｂが設けられていて、ハウジング１が水平状態および鉛直状態の各状態の場合に、突起部２ａが第一の凹部４ａまたは第二の凹部４ｂに択一的にはめ込まれることにより、ソケットコンタクト２とピンコンタクト４とを確実に電気的に接続できると共に、ソケットコンタクト２とピンコンタクト４とがロックされ互いに変位しにくい構造とすることができる。
【００２２】
上述した本実施の形態によるケーブルコネクタの実装構造では、ハウジング１をピンヘッダー３上に鉛直状態および水平状態に配設することができ、ハウジング１とピンコンタクト４との設置方向が限定されないので、電気部品，電気装置あるいは電子機器の実装形態や配線ルーティング等によって装着方向を任意に設定することができる効果を奏する。
【００２３】
以上、本発明によるケーブルコネクタの実装構造の実施の形態について説明したが、本発明は上記の実施の形態に限定されるものではなく、その趣旨を逸脱しない範囲で適宜変更可能である。
例えば、上述した実施の形態では、ソケットコンタクト２に突起部２ａが設けられて、ピンコンタクト４に第一及び第二の凹部４ａ、４ｂが設けられているが、突起部２ａを備えないソケットコンタクトと、第一および第二の凹部４ａ、４ｂを備えないピンコンタクトとを接続する構成としてもよい。
また、例えば、ピンコンタクト４に第一及び第二の凹部４ａ、４ｂに代わって第一及び第二の孔部を設けて、突起部２ａがこの第一および第二の孔部に択一的に挿入される構成としてもよい。
また、例えば、突起部２ａを仮想回転軸６上に形成し、第一及び第二の凹部４ａ、４ｂが同一の凹部となるようにしてもよい。
また、例えば、ピンコンタクト４に３以上の凹部を設けて、突起部２ａをこれらの凹部に択一的に挿入し、３以上の方向からソケットコンタクト２を接続できる構成としてもよい。
【符号の説明】
【００２４】
１  ハウジング
１ａ  勘合口（貫通部）
１ｃ  底部
２  ソケットコンタクト
２ａ  突起部
３  ピンヘッダー
４  ピンコンタクト
４ａ  第一の凹部
４ｂ  第二の凹部
５  ケーブル
８  ピンコンタクト挿入部
８ａ  開口部
【図１】
2011049099.tif 000003
【図２】
2011049099.tif 000004
【図３】
2011049099.tif 000005
【図４】
2011049099.tif 000006
【図５】
2011049099.tif 000007
【図６】
2011049099.tif 000008
【図７】
2011049099.tif 000009
【図８】
2011049099.tif 000010